(57)【要約】      （修正有）【課題】切り紙、折り紙、ハワイアンキルトの型紙の、６つ折り、１０折りの折り曲げ作業を簡単、正確にすることを可能にする補助具。【解決手段】台座５、ガイド板３，４、折り曲角度板２を用い構成することで、正方形又は長方形のいずれかである板状の台座５と台座５の一方の面上の上下の両端部にガイド板３，４を固着し、さらに任意の一辺に対し内側角度が６０度又は７２度のいずれかの角度をなす直線状の基準端６を有し、その一辺と、一辺に対応する対辺は平行であり、さらに折り曲げ角度板２を上側ガイド板３の内側辺とこれと直角をなす台座の右辺９で作られる角を前記折り曲げ角度板２の基準端６が通るようにガイド板３，４面上に固着することにより、６つ折り、１０折りの折り曲げ作業にそれぞれ必要な角度６０度の折り目と角度７２度の折り目を簡単に、かつ正確に、つけることを可能とした。【選択図】図１
2011025538.tif 000002
【特許請求の範囲】
【請求項１】
正方形又は長方形のいずれかである板状の台座と台座の一方の面上の上下の両端部にガイド板を固着し、さらに任意の一辺に対し内側角度が６０度又は７２度のいずれかの角度をなす直線状の基準端を有しその一辺と一辺に対応する対辺は平行であり、さらに折り曲げ角度板を上側ガイド板の内側辺とこれと直角をなす台座の右辺で作られる角を前記折り曲げ角度板の基準端が通るようにガイド板面上に固着したことを特徴とする切り紙補助具。
【請求項２】
前記折り曲げ角度板は基準端と反対側の辺にも前記一辺となす内側角度が１０８度または１２０度となる基準端を下側ガイド板の内側辺とこれと直角をなす左側台座の辺で作られる角を請求項１の基準端の対辺側に設けたことを特徴とする請求項１の記載の切り紙補助具。
【発明の詳細な説明】
【技術分野】
【０００１】
本発明は切り紙、折り紙、ハワイアンキルトの型紙製作の折り曲げ作業を簡単、正確に折るための補助具に関する。
【背景技術】
【０００２】
紙を折り模様を切り出すと連続模様が出来上がる。切り紙の技法は古くから知られている。代表的な図柄として、花や雪の結晶が知られている。またハワイアンキルトの型紙も切り紙の技法を用いて作られることもある。
【先行技術文献】
【特許文献】
【０００３】
【特許文献１】特開２００１−１３８６９１号公報
【特許文献２】特開２００６−２２４６４２号公報
【非特許文献】
【０００４】
【非特許文献１】そのまま作れる  切り紙練習帳  大原  まゆみ著  Ｐ９２〜Ｐ９５
【発明の概要】
【発明が解決しようとする課題】
【０００５】
切り紙や折り紙の６つ折り（正方形の紙の中心から６０度に６等分）、１０折り（正方形の紙の中心から３６度に１０等分）、を折ってみると基点となる折れ線の位置がずれやすい。６つ折りと１０折りは手馴れない方にはむずかしく、きちんとした完成にたどり着けないことがある。ズレが生じる原因は基点となる位置を何度も紙を折り曲げてポイントを導き出すあいだに誤差が生じる為である。さらに、この工程の間に余計な折れ跡が何本も入ってしまっている。基点となる折れ線がずれているのかの是非は、ポイントを導き出した時点ではわかりにくく、折り進まないと、判断できない。何度も紙を折り返したあげく失敗し、紙を無駄にしてしまうことがある。６つ折り、１０折り、それぞれをさらに半分に折って作る１２折りと２０折りにも同様のことが言える。従来の手紙などに使われる三つ折り補助具では紙の中心点から紙に角度を付けて折り曲げることができず、折り曲げ角も９０度に限られてしまい、切り紙の６つ折り、１０折りには使えない。
【課題を解決するための手段】
【０００６】
本発明は、請求項１は正方形又は長方形のいずれかである板状の台座と台座の一方の面上の上下の両端部にガイド板を固着し、さらに任意の一辺に対し内側角度が６０度又は７２度のいずれかの角度をなす直線状の基準端を有しその一辺と一辺に対応する対辺は平行であり、さらに折り曲げ角度板を上側ガイド板の内側辺とこれと直角をなす台座の右辺で作られる角を前記折り曲げ角度板の基準端が通るようにガイド板面上に固着したことを特徴とする切り紙補助具である。請求項２は前記折り曲げ角度板は基準端と反対側の辺にも前記一辺となす内側角度が１０８度または１２０度となる基準端を下側ガイド板の内側辺とこれと直角をなす左側台座の辺で作られる角を請求項１の基準端の対辺側に設けたことを特徴とする請求項１の記載の切り紙補助具である。
【０００７】
ガイド板は平行な帯板であって厚さ１ｍｍ前後のものが望ましい。台座面を自分に向けて上下左右を定義した。
【発明の効果】
【０００８】
本発明は正方形を対角線に折り曲げた三角形の紙の底辺をガイド板に密着させると同時に前記の三角形の紙の頂点を台座の辺に合わせるため、正確に紙の中心から６つ折り、１０折りに必要な折り目を正確かつ容易に折ることができる。当然のことながら１２折り、２０折りにも発展できる。付け加えて、折り曲げ角度板で押さえながら紙を折るため、紙が弛まず、ずれることがない。折る紙に余計な折れ線を付けることもなく、正確かつ簡単に切り紙、  折り紙、ハワイアンキルトの型紙を作ることができる。説明図では利き手を右手として解説しているが、左手が利き手の人でも説明図を上下反転した形で使用すれば問題なく使用できる
【図面の簡単な説明】
【０００９】
【図１】本発明のー実施形態を示す平面図である。
【図２】本発明のー実施形態を示す平面図である。
【図３】本発明のー実施形態を示す側面図である。
【図４】本発明のー実地形態に係わる切り紙補助具による折り方手順を示す図である。
【発明を実施するための形態】
【００１０】
以下、本発明のー実施形態を図１、図２、図３に基づいて説明する。    図１において請求項１の切り紙補助具１ａの平面図を示し、図２において請求項２の切り紙補助具１ｂの平面図を示し、図３は請求項図１と２の右側面図を表す。おいて符号１ａ、１ｂは、本実施形態に係わる切り紙補助具を示し、正方形の紙を対角線に２つ折りした紙に６つ折り、１０折りをするために必要な折れ線を簡単かつ正確に折り目をつけるものである。
【００１１】
ついで、このように構成された本実態形態に係わる切り紙補助具１ｂの６つ折り基準端６を用いて、正方形の紙を対角線に２つ折りしてできる三角形の用紙Ｐを用いて６つ折りを折る時に基点となる折れ線Ｌの折り方について図４を用いて説明する。
【００１２】
まず、机などに前記切り紙補助具１ｂを置き、図４（ａ）の示すように台座５と折り曲げ角度板２の隙間に前記の用紙Ｐの底辺を上にしてさしこむ。
【００１３】
ついで、図４（ｂ）の示すように用紙Ｐの三角形の底辺がガイド板３に密着するように合わせると同時に用紙Ｐの頂点を台座５の右辺９に合わせる。
【００１４】
ついで、図４（ｃ）の示すように折り曲げ角度板２を押さえながら前記の用紙Ｐを折り曲げ角度板２の６つ折り基準端６に沿って上に折り曲げる
【００１５】
ついで、図４（ｄ）の示すように折り曲げられた前記の用紙Ｐを切り紙補助具１ｂから引き出すと６つ折りを折る時に必要な基点となる折れ線Ｌが正確に示される。６つ折りの場合は上側ガイド板３の内側辺と６つ折り基準端のなす内側角度は６０度である。１０折りの場合はこの内側角度は７２度とすれば良い。
【実施例】
【００１６】
図１，図２、図３に基づいて説明する。発明の切り紙補助具はタテ１５ｃｍヨコ１０．５ｃｍ  厚さ３ｍｍである。台座と折り曲げ角度板の板厚は１ｍｍ、ガイド板の板厚は１ｍｍ前後が望ましい。ただしこのサイズは一例で大きな紙を折るときはサイズを大きく、厚さの厚い紙を折るときはガイド板の厚みを厚くして対応できる。材料は曲げに対し弾性のある合成樹脂が適し、塩化ビニル樹脂、アクリル樹脂、ポリカーボネートがあげられるが、金属でもかまわない。なお、折り曲げ角度板の基準端は、定規に見られるように角を斜めに仕上げると、さらに折り曲げやすくなる。
【産業上の利用可能性】
【００１７】
切り紙、折り紙、ハワイアンキルトの型紙の確実な製作と製作時間短縮に活用できる。
【符号の説明】
【００１８】
１ａ      切り紙補助具
１ｂ      切り紙補助具
２．      折り曲げ角度板
３．      上側ガイド板
４．      下側ガイド板
５．      台座
６．      ６つ折り基準端
７．      １０折り基準端
８．      左辺
９．      右辺
Ｐ．      正方形の紙を対角線に２つ折りした紙
Ｌ．      ６つ折りを折る時に基点となる折れ線
【図１】
2011025538.tif 000003
【図２】
2011025538.tif 000004
【図３】
2011025538.tif 000005
【図４】
2011025538.tif 000006
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
正方形又は長方形のいずれかである板状の台座の台座面を、切り紙補助具を使用する者の側に向けて上下左右を定義し、台座の一方の面上の上端部に沿って平行な帯板の上側ガイド板を固着し、前記台座の同じ面上の下端部に沿って平行な帯板の下側ガイド板を固着すると上側ガイド板と下側ガイド板の向かい合う辺は並行であり、さらに上側ガイド板と下側ガイド板の上にまたぐ形で固着される直線状の基準端を持つ折り曲げ角度板を要し、前記折り曲げ角度板の直線状の基準端は、上側ガイド板の下側ガイド板と向かい合う辺に対し角度が６０度又は７２度のいずれかの角度をなすと同時に上側ガイド板の下側ガイド板と向かい合う辺と直角をなす台座の右辺で作られる角を前記折り曲げ角度板の直線状の基準端が通ると同時に上側ガイド板と下側ガイド板の間の台座面上に存在するように設置され、台座と前記折り曲げ角度板の間に挟まれた上側ガイド板、下側ガイド板の厚みによってできる隙間に正方形の紙を対角線に２つ折りした三角形の紙を差し込んで前記の紙の底辺を上側ガイド板に密着させると同時に前記の紙の頂点を台座の右辺に合わせて折り曲げ角度板の直線状の基準端に沿って前記の紙を手前に折り曲げることにより前記の紙の底辺に対し底辺の中心点に至る角度６０度もしくは７２度の折れ線を示すことを特徴とする切り紙補助具。
【請求項２】
前記折り曲げ角度板は上側ガイド板の下側ガイド板と向き合う辺に対し角度が１０８度または１２０度のいずれかとなる角度をなし、同時に下側ガイド板の上側ガイド板と向き合う辺と直角をなす台座の左辺で作られる角を通ると同時に上側ガイド板と下側ガイド板の間の台座面上に存在する直線状の基準端を請求項１の基準端とあわせ持ち、請求項１で示された前記の紙の底辺を下側ガイド板に密着させると同時に前記の紙の頂点を台座の左辺に合わせて折り曲げ角度板の直線状の基準端に沿って前記の紙を手前に折り曲げることにより前記の紙の底辺に対し底辺の中心点に至る角度６０度もしくは７２度の折れ線を示す機能をあわせ持つことを特徴とする請求項１の記載の切り紙補助具。
【手続補正２】
【補正対象書類名】明細書
【補正対象項目名】０００６
【補正方法】変更
【補正の内容】
【０００６】
本発明は、請求項１は正方形又は長方形のいずれかである板状の台座の台座面を、切り紙補助具を使用する者の側に向けて上下左右を定義し、台座の一方の面上の上端部に沿って平行な帯板の上側ガイド板を固着し、前記台座の同じ面上の下端部に沿って平行な帯板の下側ガイド板を固着すると上側ガイド板と下側ガイド板の向かい合う辺は並行であり、さらに上側ガイド板と下側ガイド板の上にまたぐ形で固着される直線状の基準端を持つ折り曲げ角度板を要し、前記折り曲げ角度板の直線状の基準端は、上側ガイド板の下側ガイド板と向かい合う辺に対し角度が６０度又は７２度のいずれかの角度をなすと同時に上側ガイド板の下側ガイド板と向かい合う辺と直角をなす台座の右辺で作られる角を前記折り曲げ角度板の直線状の基準端が通ると同時に上側ガイド板と下側ガイド板の間の台座面上に存在するように設置され、台座と前記折り曲げ角度板の間に挟まれた上側ガイド板、下側ガイド板の厚みによってできる隙間に正方形の紙を対角線に２つ折りした三角形の紙を差し込んで前記の紙の底辺を上側ガイド板に密着させると同時に前記の紙の頂点を台座の右辺に合わせて折り曲げ角度板の直線状の基準端に沿って前記の紙を手前に折り曲げることにより前記の紙の底辺に対し底辺の中心点に至る角度６０度もしくは７２度の折れ線を示すことを特徴とする切り紙補助具である。
請求項２は前記折り曲げ角度板は上側ガイド板の下側ガイド板と向き合う辺に対し角度が１０８度または１２０度のいずれかとなる角度をなし、同時に下側ガイド板の上側ガイド板と向き合う辺と直角をなす台座の左辺で作られる角を通ると同時に上側ガイド板と下側ガイド板の間の台座面上に存在する直線状の基準端を請求項１の基準端とあわせ持ち、請求項１で示された前記の紙の底辺を下側ガイド板に密着させると同時に前記の紙の頂点を台座の左辺に合わせて折り曲げ角度板の直線状の基準端に沿って前記の紙を手前に折り曲げることにより前記の紙の底辺に対し底辺の中心点に至る角度６０度もしくは７２度の折れ線を示す機能をあわせ持つことを特徴とする請求項１の記載の切り紙補助具である。
【手続補正３】
【補正対象書類名】明細書
【補正対象項目名】０００８
【補正方法】変更
【補正の内容】
【０００８】
本発明は正方形の紙を対角線に２つ折りした三角形の紙の底辺をガイド板に密着させると同時に前記の三角形の紙の頂点を台座の辺に合わせるため、正確に紙の中心から６つ折り、１０折りに必要な折り目を正確かつ容易に折ることができる。当然のことながら１２折り、２０折りにも発展できる。付け加えて、折り曲げ角度板で押さえながら紙を折るため、紙が弛まず、ずれることがない。折る紙に余計な折れ線を付けることもなく、正確かつ簡単に切り紙、  折り紙、ハワイアンキルトの型紙を作ることができる。説明図では利き手を右手として解説しているが、左手が利き手の人でも説明図を上下反転した形で使用すれば問題なく使用できる。
【手続補正４】
【補正対象書類名】明細書
【補正対象項目名】００１５
【補正方法】変更
【補正の内容】
【００１５】
ついで、図４（ｄ）の示すように折り曲げられた前記の用紙Ｐを切り紙補助具１ｂから引き出すと６つ折りを折る時に必要な基点となる折れ線Ｌが正確に示される。６つ折りの場合は上側ガイド板３の下側ガイド板４と向かい合う辺と６つ折り基準端がなす角度は６０度であり６つ折り基準端は台座面上に存在する。１０折りの場合はこの角度を７２度とすれば良い。